(57)【要約】【課題】  断面が四角形の筒状に形成された本体内に、ガラス管を備えたランプを収容するランプ用サックにおいて、サックに対するランプの挿抜を容易にする。【解決手段】  本体が、片面段ボール材２を波段部２ｂが内側となるように折曲部３で折り曲げ、端部同士が重ならない状態で端部付近をシール６で接合して、断面が矩形の筒状となるように形成されたランプ用サック１において、接合部としてシール６が貼付された２つの側壁２ｃ、２ｆに、この２つの側壁２ｃ、２ｆに渡って本体の長手方向と直交する方向に延びる連続した切込み８を設け、本体に反りが生じた際に、切込み８付近を変形させて反りを矯正する。【選択図】          図４
2005088902.tif 000002
【特許請求の範囲】
【請求項１】
長方形のシート材が折り曲げられ、該シート材の端部同士が接合されて断面が四角形の筒状に形成された本体を備えてなり、ガラス管を備えたランプを前記本体内に収容するランプ用サックであって、
前記本体の側壁のうち、隣接した２面に渡って連続した切込みが設けられていることを特徴とするランプ用サック。
【請求項２】
前記切込みが、前記本体の接合部を含む隣接した２面に渡って設けられていることを特徴とする請求項１記載のランプ用サック。
【発明の詳細な説明】
【技術分野】
【０００１】
本発明はガラス管を備えたランプを収容するランプ用サックに関し、特に本体の構成に関するものである。
【背景技術】
【０００２】
従来より、蛍光ランプ等の直管形ガラス管を備えたランプを搬送する際の個装材として、特許文献１に記載されているような、板紙もしくはライナーが４０ｇ／ｍ２程度の薄手の片面段ボール材（波段部の片面にのみライナーを設けた段ボール材）により断面が四角形の筒状に形成された本体内にランプを収容するランプ用サックが用いられている。
【０００３】
また、近年では、蛍光ランプの端部同士を近接させて連続的に配置する場合等に、蛍光ランプのソケット部等の非発光部を極力小さくするために、電極端子を蛍光管の両端面でなく、側面から取り出し、口金を蛍光管の側面側に配置した蛍光ランプが実用化されている。このような蛍光ランプでは、端部がガラスとなるためこの端部をサックにより保護する必要があるが、従来の板紙や薄手の片面段ボール材により製作されたランプ用サックでは十分に保護できない虞があるため、ライナーが１８０ｇ／ｍ２程度の厚手の片面段ボール材により製作されたランプ用サックを用いることが検討されている。
【特許文献１】実開平０６−０８７２８４号公報
【発明の開示】
【発明が解決しようとする課題】
【０００４】
ところで、上記のランプ用サックの本体は、長方形の片面段ボール材を折り曲げ、端部付近をシールで接合して断面が四角形の筒状としたものが広く使われているが、このようなサックの場合、シールが収縮して本体の長手方向に渡って反りが生じることがある。
【０００５】
また、これ以外の理由によっても本体に反りが生じることがあり、ランプ用サックの本体に上記のような反りが生じると、サックに対するランプの挿抜が困難になるという問題があった。
【０００６】
この問題は、本体が厚手の片面段ボール材により形成されている場合には、より顕著になる。
【０００７】
本発明は上記問題に鑑みてなされたものであり、断面が四角形の筒状に形成された本体内に、ガラス管を備えたランプを収容するランプ用サックにおいて、サックに対するランプの挿抜を容易にすることを目的とするものである。
【課題を解決するための手段】
【０００８】
本発明によるランプ用サックは、長方形のシート材が折り曲げられ、シート材の端部同士が接合されて断面が四角形の筒状に形成された本体を備えてなり、ガラス管を備えたランプを本体内に収容するランプ用サックであって、本体の側壁のうち、隣接した２面に渡って連続した切込みが設けられていることを特徴とするものである。
【０００９】
本発明において「切込み」とは、側壁の表裏を貫通した連続した切断線に限らず、ミシン目や切欠き等、必要時に容易に連続した切断線にすることが可能なものも含む。
【００１０】
上記ランプ用サックにおいて、切込みは、本体の接合部を含む隣接した２面に渡って設けられていることが好ましい。
【００１１】
ここで「本体の接合部を含む隣接した２面」について図５を参照して説明する。図５（ａ）、（ｂ）、（ｃ）はランプ用サックの正面図である。図５（ａ）に示すように、本体を構成する長方形のシート材２１を折り曲げ、端部を含む面同士を接着剤等で接合して断面が四角形の筒状とした場合には、接合部を含む面２１ａと、その面２１ａに隣接する２つの面２１ｂ、２１ｄのいずれかを意味する。また、図５（ｂ）、（ｃ）に示すように、本体を構成する長方形のシート材２１を折り曲げ、端部同士を互いに重ならない状態でシール２２等で接合して断面が四角形の筒状とした際に、図５（ｂ）に示すように、接合部を本体断面において四角形の角以外の場所とした場合には、接合部を含む面２１ａと、その面２１ａに隣接する２つの面２１ｂ、２１ｄのいずれかを意味し、図５（ｃ）に示すように、接合部を本体断面において四角形の角とした場合には、接合部に隣接する面２１ａまたは２１ｄと、その面に隣接するいずれかの面を意味するが、この場合は接合部に隣接する２つの面２１ａおよび２１ｄとすることが好ましい。
【００１２】
上記本体を構成するシート材としては、板紙、片面段ボール材、もしくは段ボール材等を用いることができる。
【発明の効果】
【００１３】
本発明によるランプ用サックは、断面が四角形の筒状に形成された本体内に、ガラス管を備えたランプを収容するランプ用サックであって、本体の側壁のうち、隣接した２面に渡って連続した切込みを設けているため、本体の長手方向に渡って反りが生じてしまった場合にも、切込部分の両端を広げる、もしくは一方の端部を他方の端部内へ押し込むようにして、本体を変形させることにより、本体の反りを矯正することができるため、サックに対するランプの挿抜を容易にすることができる。
【００１４】
また、上記本体は、通常、本体を構成する長方形のシート材を折り曲げ、端部を含む面同士を接着剤等で接合して断面が四角形の筒状となるように構成される、もしくは、本体を構成する長方形のシート材を折り曲げ、端部同士を互いに重ならない状態でシール等で接合して断面が四角形の筒状となるように構成されるが、いずれにしても、接着剤もしくはシールが収縮して、本体の長手方向に渡って接合部を内側とした反りが生じることがある。
【００１５】
また、上記のように本体に切込みを設けた場合、切込部分の両端を広げて本体を変形させる場合の方が、切込部分の一方の端部を他方の端部内へ押し込むようにして本体を変形させる場合に比べて容易に本体を変形させることができる。
【００１６】
それゆえ、上記ランプ用サックにおいて、切込みを、本体の接合部を含む隣接した２面に渡って設けることにより、容易に本体の反りを矯正することができる。
【発明を実施するための最良の形態】
【００１７】
以下、本発明の具体的な実施の形態について図面を用いて説明する。図１（Ａ）は本発明の一実施の形態によるランプ用サックの斜視図、図１（Ｂ）は上記ランプ用サックの立壁部折曲後の斜視図、図１（Ｃ）は図１（Ａ）に示すランプ用サックのＰ矢指方向からの正面図、図２（Ａ）は上記ランプ用サックの本体（片面段ボール材）の展開図、図２（Ｂ）は図２（Ａ）に示すランプ用サックの本体のＰ矢指方向からの正面図、図３は上記ランプ用サックのランプ挿入時の部分断面図、図４は上記ランプ用サックの図１（Ａ）および（Ｂ）と異なる視点からの斜視図である。
【００１８】
ランプ用サック１の本体は、１８０ｇ／ｍ２程度のライナー（平板部）２ａに、１２０ｇ／ｍ２程度の原紙を波型に成形した波段部２ｂが貼り合わされてなる厚手の片面段ボール材２からなり、この片面ダンボール材２の波段部２ｂには、波段部２ｂの山部と谷部とが連続する方向を長手方向として、この長手方向に延びる折曲部３が形成されている。
【００１９】
また、本体の側壁２ｃ、２ｄ、２ｅ、２ｆのうち、幅が広い側壁２ｄには、本体の長手方向の端部付近に折曲容易部５が形成されている。折曲部３および折曲容易部５は、波段部２ｂにプレス加工を施して他の部分よりも薄くしたものである。
【００２０】
ランプ用サック１の本体は、上記の片面段ボール材２を波段部２ｂが内側となるように折曲部３で折り曲げ、図１（Ｃ）に示すように、端部同士が重ならない状態で、側壁２ｃと側壁２ｆをシール６で接合して、断面が矩形の筒状となるようにしたものである。
【００２１】
さらに、図４に示すように、接合部としてシール６が貼付された隣接する２つの側壁２ｃ、２ｆには、この２つの側壁２ｃ、２ｆに渡って本体の長手方向と直交する方向に延びる連続した切込み８が設けられている。この切込み８は、本体の両端からそれぞれ長手方向全長の１０％の領域を除く領域に設けられている。本実施の形態のランプ用サック１の本体の長手方向全長は１０３５ｍｍであり、上記切込み８は本体の中央付近に２５０ｍｍの間隔を空けて２本設けられている。
【００２２】
なお、本体の長手方向全長については上記に限定されるものではなく、上記以外にも例えば、５３５ｍｍ、５８５ｍｍ、８８５ｍｍ、１２８５ｍｍ、１５３５ｍｍとしてもよく、その場合、５３５ｍｍ、５８５ｍｍ、８８５ｍｍでは上記切込みを中央付近に１本設ければよく、１２８５ｍｍでは上記切込みを中央付近に２５０ｍｍの間隔を空けて２本設ければよく、１５３５ｍｍでは上記切込みを中央付近に２５０ｍｍずつ間隔を空けて３本設ければよい。すなわち、１０００ｍｍ以内であれば１本、１００１〜１５００ｍｍであれば２本、１５０１〜２０００ｍｍであれば３本、以後５００ｍｍ増加する毎に１本追加すればよい。
【００２３】
上記ランプ用サック１に収容される蛍光ランプ１０は、蛍光管１１の側面に口金１２が取り付けられ、この口金１２に２本のランプピン１３が設けられたものである。
【００２４】
この蛍光ランプ１０をランプ用サック１に挿抜する際に、ランプ用サック１の本体の長手方向に渡って反りが生じてしまっている場合でも、本発明によるランプ用サック１においては、本体の側壁２ｃ、２ｄ、２ｅ、２ｆのうち、接合部としてシール６が貼付された隣接する２つの側壁２ｃ、２ｆに渡って連続した切込み８を設けているため、この切込み８付近を変形させることにより、本体の反りを矯正することができるため、サックに対するランプの挿抜を容易にすることができる。
【００２５】
また、片面段ボール材２の長手方向両端部には、切込み４が設けられており、シール６の切込み４に対応する部位にも切込みが設けられている。このような切込み４を設けることにより、図１（Ｂ）に示すように立壁部７を折曲容易部５で折り曲げることにより、立壁部７が本体の開口部中央付近において立壁となるため、図３に示すように本体内部に収容された蛍光ランプ１０が抜け落ちるのを防止することができる。
【００２６】
なお、この切込み４は、本発明による切込み８とは目的が異なるものであり、本体の両端からそれぞれ長手方向全長の１０％以内の領域に設けられている。
【００２７】
以上、本発明の好ましい実施の形態について説明したが、本発明は上記の態様に限定されるものではなく、例えば、本体の長手方向の全長および全長に対する切込みの本数については、上記の６パターン以外のどのような態様であってもよい。
【００２８】
また、切込みの方向についても、本体の長手方向と完全に直交する方向である必要はなく、長手方向と完全に直交する方向に対して若干傾いていてもよい。
【００２９】
また、切込みを設ける側壁の面数についても、隣接する２面に限るものではなく、隣接する３面に設けてもよい。
【００３０】
また、切込みの長さについても、隣接する側壁に対して連続した切込みであれば、必ずしも各側壁の短手方向の全ての領域に設けてある必要はなく、実質的に変形可能な長さであればどのような態様でもよい。
【００３１】
また、本体の断面形状についても、矩形に限らず、正方形であってもよい。
【００３２】
さらに、本発明によるランプ用サックに収容するランプについても、上記のランプに限定されるものではなく、例えば直管形ランプ、コンパクト型ランプ、電球型ランプ等、どのようなランプであってもよい。
【図面の簡単な説明】
【００３３】
【図１】本発明の一実施の形態によるランプ用サックの斜視図（Ａ）、上記ランプ用サックの立壁部折曲後の斜視図（Ｂ）、（Ａ）に示すランプ用サックのＰ矢指方向からの正面図（Ｃ）
【図２】上記ランプ用サックの本体（片面段ボール材）の展開図（Ａ）、（Ａ）に示すランプ用サックの本体のＰ矢指方向からの正面図（Ｂ）
【図３】上記ランプ用サックのランプ挿入時の部分断面図
【図４】上記ランプ用サックの斜視図
【図５】ランプ用サックの正面図
【符号の説明】
【００３４】
１    ランプ用サック
２    片面ダンボール材
３    折曲部
４    切込み
５    折曲容易部
６    シール
７    立壁部
８    切込み
１０    蛍光ランプ
１１    蛍光管
１２    口金
１３    ランプピン
【図１】
2005088902.tif 000003
【図２】
2005088902.tif 000004
【図３】
2005088902.tif 000005
【図４】
2005088902.tif 000006
【図５】
2005088902.tif 000007